【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
任意の画像に対応する画像光を無限遠に投影する映像投影光学系と、
互いに平行且つ対向する第１の平面および第２の平面を有する板状に形成され、前記映像投影光学系から投影される前記画像光の一部の前記第１の平面における透過と前記画像光の残りの前記第１の平面および前記第２の平面間での反射とを繰返しながら前記映像投影光学系の光軸の方向に垂直なｘ方向に伝播させる第１の導光部と、
互いに平行且つ対向する第３の平面および第４の平面を有する板状に形成され、前記第３の平面は前記第１の平面に接合される第１の間隔板と、
前記第４の平面に形成または接合され、前記第１の平面を透過した一部の前記画像光を、前記第１の平面に実質的に垂直な方向に回折する第１の出力偏向部と
を有し、
前記第１の出力偏向部は、反射型の回折面を備え、
前記画像光が前記第１の出力偏向部により前記第４の平面に対し垂直に回折される前記第１の間隔板内での該画像光の伝播角度をθｃ１、前記第１の間隔板の厚みをｔ１、前記画像光の波長をλ、前記第１の間隔板の屈折率をｎｓ１、前記第１の導光部の屈折率をｎｗ１とするとき、
【数１】
2015184385.tif 000001
を満たすことを特徴とする画像表示装置。
【請求項２】
任意の画像に対応する画像光を無限遠に投影する映像投影光学系と、
互いに平行且つ対向する第１の平面および第２の平面を有する板状に形成され、前記映像投影光学系から投影される前記画像光の一部の前記第１の平面における透過と前記画像光の残りの前記第１の平面および前記第２の平面間での反射とを繰返しながら前記映像投影光学系の光軸の方向に垂直なｘ方向に伝播させる第１の導光部と、
互いに平行且つ対向する第３の平面および第４の平面を有する板状に形成され、前記第３の平面は前記第１の平面に接合される第１の間隔板と、
前記第４の平面に形成または接合され、前記第１の平面を透過した一部の前記画像光を、前記第１の平面に実質的に垂直な方向に回折する第１の出力偏向部と
を有し、
前記第１の出力偏向部は、透過型の回折面を備え、
前記画像光が前記第１の出力偏向部により前記第４の平面に対し垂直に回折される前記第１の間隔板内での該画像光の伝播角度をθｃ１、前記第１の間隔板の厚みをｔ１、前記画像光の波長をλ、前記第１の間隔板の屈折率をｎｓ１とするとき、
【数２】
2015184385.tif 000002
を満たすことを特徴とする画像表示装置。
【請求項３】
前記第１の導光部の厚みをＴ１とするとき、任意の５より小さい自然数ｎおよびｍの組み合わせについて、
Ｔｖ１＝ａｂｓ（ｎ（ｎｓ１ｔ１）−ｍ（ｎｗ１Ｔ１））
とするとき、
【数３】
2015184385.tif 000003
を満たすことを特徴とする請求項１または２に記載の画像表示装置。
【請求項４】
互いに平行且つ対向する第５の平面および第６の平面を有する板状に形成され、前記第１の出力偏向部で回折された前記一部の前記画像光が、前記第２の平面から出射した画像光を伝播させる第２の導光部であって、前記画像光の一部の前記第５の平面における透過と前記画像光の残りの前記第５の平面および前記第６の平面間での反射とを繰返しながら前記映像投影光学系の光軸の方向に垂直かつｘ方向にも垂直なｙ方向に伝播させる第２の導光部と、
互いに平行且つ対向する第７の平面および第８の平面を有する板状に形成され、前記第７の平面は前記第５の平面に接合される第２の間隔板と、
前記第８の平面に形成または接合され、前記第５の平面から透過した一部の前記画像光を前記第５の平面に実質的に垂直な方向に回折する第２の出力偏向部と
を有する請求項１〜３の何れか一項に記載の画像表示装置。
【請求項５】
前記第２の出力偏向部は、反射型の回折面を備え、
前記画像光が前記第２の出力偏向部により前記第８の平面に対し垂直に回折される前記第２の間隔板内での該画像光の伝播角度をθｃ２、前記第２の間隔板の厚みをｔ２、前記画像光の波長をλ、前記第２の間隔板の屈折率をｎｓ２、前記第２の導光部の屈折率をｎｗ２とするとき、
【数４】
2015184385.tif 000004
を満たすことを特徴とする請求項４に記載の画像表示装置。
【請求項６】
前記第２の出力偏向部は、透過型の回折面を備え、
前記画像光が前記第２の出力偏向部により前記第８の平面に対し垂直に回折される前記間隔板内での該画像光の伝播角度をθｃ２、前記第２の間隔板の厚みをｔ２、前記画像光の波長をλ、前記第２の間隔板の屈折率をｎｓ２とするとき、
【数５】
2015184385.tif 000005
を満たすことを特徴とする請求項４に記載の画像表示装置。
【請求項７】
前記第２の導光部の厚みをＴ２とするとき、任意の５より小さい自然数ｎおよびｍの組み合わせについて、
Ｔｖ２＝ａｂｓ（ｎ（ｎｓ２ｔ２）−ｍ（ｎｗ２Ｔ２））
とするとき、
【数６】
2015184385.tif 000006
を満たすことを特徴とする請求項５または６に記載の画像表示装置。
【請求項８】
任意の画像に対応する画像光を無限遠に投影する映像投影光学系と、
互いに平行且つ対向する第１の平面および第２の平面を有する板状に形成され、前記映像投影光学系から投影される前記画像光の一部の前記第１の平面における透過と前記画像光の残りの前記第１の平面および前記第２の平面間での反射とを繰返しながら前記映像投影光学系の光軸の方向に垂直なｘ方向に伝播させる第１の導光部と、
互いに平行且つ対向する第３の平面および第４の平面を有する板状に形成され、前記第３の平面は前記第１の平面に接合される第１の間隔板と、
前記第４の平面に形成または接合され、前記第１の平面を透過した一部の前記画像光を、前記第１の平面に実質的に垂直な方向に回折する第１の出力偏向部と
を有し、
さらに、
互いに平行且つ対向する第５の平面および第６の平面を有する板状に形成され、前記第１の出力偏向部で回折された前記一部の前記画像光が、前記第２の平面から出射した画像光を伝播させる第２の導光部であって、前記画像光の一部の前記第５の平面における透過と前記画像光の残りの前記第５の平面および前記第６の平面間での反射とを繰返しながら前記映像投影光学系の光軸の方向に垂直かつｘ方向にも垂直なｙ方向に伝播させる第２の導光部と、
互いに平行且つ対向する第７の平面および第８の平面を有する板状に形成され、前記第７の平面は前記第５の平面に接合される第２の間隔板と、
前記第８の平面に形成または接合され、前記第５の平面から透過した一部の前記画像光を前記第５の平面に実質的に垂直な方向に回折する第２の出力偏向部と
を有し、
前記第２の出力偏向部は、反射型の回折面を備え、
前記画像光が前記第２の出力偏向部により前記第８の平面に対し垂直に回折される前記第２の間隔板内での該画像光の伝播角度をθｃ２、前記第２の間隔板の厚みをｔ２、前記画像光の波長をλ、前記第２の間隔板の屈折率をｎｓ２、前記第２の導光部の屈折率をｎｗ２とするとき、
【数７】
2015184385.tif 000007
を満たすことを特徴とする画像表示装置。
【請求項９】
任意の画像に対応する画像光を無限遠に投影する映像投影光学系と、
互いに平行且つ対向する第１の平面および第２の平面を有する板状に形成され、前記映像投影光学系から投影される前記画像光の一部の前記第１の平面における透過と前記画像光の残りの前記第１の平面および前記第２の平面間での反射とを繰返しながら前記映像投影光学系の光軸の方向に垂直なｘ方向に伝播させる第１の導光部と、
互いに平行且つ対向する第３の平面および第４の平面を有する板状に形成され、前記第３の平面は前記第１の平面に接合される第１の間隔板と、
前記第４の平面に形成または接合され、前記第１の平面を透過した一部の前記画像光を、前記第１の平面に実質的に垂直な方向に回折する第１の出力偏向部と
を有し、
さらに、
互いに平行且つ対向する第５の平面および第６の平面を有する板状に形成され、前記第１の出力偏向部で回折された前記一部の前記画像光が、前記第２の平面から出射した画像光を伝播させる第２の導光部であって、前記画像光の一部の前記第５の平面における透過と前記画像光の残りの前記第５の平面および前記第６の平面間での反射とを繰返しながら前記映像投影光学系の光軸の方向に垂直かつｘ方向にも垂直なｙ方向に伝播させる第２の導光部と、
互いに平行且つ対向する第７の平面および第８の平面を有する板状に形成され、前記第７の平面は前記第５の平面に接合される第２の間隔板と、
前記第８の平面に形成または接合され、前記第５の平面から透過した一部の前記画像光を前記第５の平面に実質的に垂直な方向に回折する第２の出力偏向部と
を有し、
前記第２の出力偏向部は、透過型の回折面を備え、
前記画像光が前記第２の出力偏向部により前記第８の平面に対し垂直に回折される前記間隔板内での該画像光の伝播角度をθｃ２、前記第２の間隔板の厚みをｔ２、前記画像光の波長をλ、前記第２の間隔板の屈折率をｎｓ２とするとき、
【数８】
2015184385.tif 000008
を満たすことを特徴とする画像表示装置。
【請求項１０】
【数９】
2015184385.tif 000009
を満たすことを特徴とする請求項１に記載の画像表示装置。
【請求項１１】
【数１０】
2015184385.tif 000010
を満たすことを特徴とする請求項２に記載の画像表示装置。
【手続補正２】
【補正対象書類名】明細書
【補正対象項目名】０００９
【補正方法】変更
【補正の内容】
【０００９】
上記目的を達成する画像表示装置の発明は、
任意の画像に対応する画像光を無限遠に投影する映像投影光学系と、
互いに平行且つ対向する第１の平面および第２の平面を有する板状に形成され、前記映像投影光学系から投影される前記画像光の一部の前記第１の平面における透過と前記画像光の残りの前記第１の平面および前記第２の平面間での反射とを繰返しながら前記映像投影光学系の光軸の方向に垂直なｘ方向に伝播させる第１の導光部と、
互いに平行且つ対向する第３の平面および第４の平面を有する板状に形成され、前記第３の平面は前記第１の平面に接合される第１の間隔板と、
前記第４の平面に形成または接合され、前記第１の平面を透過した一部の前記画像光を、前記第１の平面に実質的に垂直な方向に回折する第１の出力偏向部と
を有し、
前記第１の出力偏向部は、反射型の回折面を備え、
前記画像光が前記第１の出力偏向部により前記第４の平面に対し垂直に回折される前記第１の間隔板内での該画像光の伝播角度をθｃ１、前記第１の間隔板の厚みをｔ１、前記画像光の波長をλ、前記第１の間隔板の屈折率をｎｓ１、前記第１の導光部の屈折率をｎｗ１とするとき、
【数１】
2015184385.tif 000011
を満たすことを特徴とするものである。
【手続補正３】
【補正対象書類名】明細書
【補正対象項目名】００１０
【補正方法】変更
【補正の内容】
【００１０】
あるいは、上記目的を達成する画像表示装置の発明は、
任意の画像に対応する画像光を無限遠に投影する映像投影光学系と、
互いに平行且つ対向する第１の平面および第２の平面を有する板状に形成され、前記映像投影光学系から投影される前記画像光の一部の前記第１の平面における透過と前記画像光の残りの前記第１の平面および前記第２の平面間での反射とを繰返しながら前記映像投影光学系の光軸の方向に垂直なｘ方向に伝播させる第１の導光部と、
互いに平行且つ対向する第３の平面および第４の平面を有する板状に形成され、前記第３の平面は前記第１の平面に接合される第１の間隔板と、
前記第４の平面に形成または接合され、前記第１の平面を透過した一部の前記画像光を、前記第１の平面に実質的に垂直な方向に回折する第１の出力偏向部と
を有し、
前記第１の出力偏向部は、透過型の回折面を備え、
前記画像光が前記第１の出力偏向部により前記第４の平面に対し垂直に回折される前記第１の間隔板内での該画像光の伝播角度をθｃ１、前記第１の間隔板の厚みをｔ１、前記画像光の波長をλ、前記第１の間隔板の屈折率をｎｓ１とするとき、
【数２】
2015184385.tif 000012
を満たすようにしても良い。